(57)【特許請求の範囲】
【請求項１】
相互に向かい合う第１の１対のフラップと前記第１の１対のフラップと重畳し相互に向かい合う第２の１対のフラップから成る蓋部を有し、前記第１の１対のフラップは第１フラップ及び第３フラップとから成り、前記第２の１対のフラップは第２フラップ及び第４フラップとから成る段ボール箱において、前記第１フラップには、前記第１フラップに重畳する前記第２のフラップに形成された挿入部の一部が挿入される被挿入部が設けられ、前記被挿入部は、前記第３フラップに向けて伸びるように形成された第１切り込みと前記第１切り込みの前記第３フラップとは反対側の端部において前記第１切り込みと交差するように設けられた第２切り込みとから成る切り込みと、前記第２切り込みの端部から前記第３フラップに向けて伸びるように形成された折り目とから成り、前記第１フラップは、少なくとも一部又は全部が前記第２フラップの挿入部と重畳する位置に指挿入部を有し、前記指挿入部は、前記第１フラップのうち前記第２フラップの挿入部と重畳する位置において前記被挿入部の第１切り込みと平行に形成された指用折り目と、前記指用折り目の両端に連続するようにして周回して前記第１フラップに形成された指用切り込みとから形成されていることを特徴とする段ボール箱。
【請求項２】
請求項１に記載された段ボール箱であって、前記被挿入部の切り込みは、前記第２切り込みが前記第１切り込みを跨ぐようにして配置されたＴ字状に形成され、前記被挿入部の折り目は、前記第２切り込みの両端から前記第３フラップに向けて伸びるように複数形成されていることを特徴とする段ボール箱。
【請求項３】
請求項１又は請求項２のいずれかに記載された段ボール箱であって、前記第３フラップに向けて伸びるように形成された第１切り込みは、前記第３フラップ側の端部側において一部が円弧状に形成されていることを特徴とする段ボール箱。
【請求項４】
請求項１乃至請求項３のいずれかに記載された段ボール箱であって、前記第１フラップに重畳する前記第２フラップに形成され前記第１フラップの被挿入部に一部が挿入される挿入部は、前記第２フラップの縁部から突出するように形成され、前記被挿入部に挿入された場合に前記第１切り込みと前記第２切り込みとの交差点から前記第１フラップの前記第３フラップとは反対側の端部に向けて円弧状に突出する円弧部を有していることを特徴とする段ボール箱。
【請求項５】
請求項１乃至請求項４のいずれかに記載された段ボール箱であって、前記第２フラップは、前記挿入部の前記円弧部とは反対側の端部から前記第２フラップの縁部にわたる部分を前記第４フラップとは反対側に凹むように切り欠いて形成された指掛け部を有することを特徴とする段ボール箱。
【請求項６】
請求項５に記載された段ボール箱であって、前記指掛け部は、円弧状に形成されていることを特徴とする段ボール箱。
【請求項７】
請求項１乃至請求項６のいずれかに記載された段ボール箱であって、前記挿入部は隅部が円弧状に形成されていることを特徴とする段ボール箱。
【請求項８】
請求項１乃至請求項７のいずれかに記載された段ボール箱であって、前記挿入部を有する第２フラップは、前記第１フラップの前記第１切り込みと平行に形成された折り曲げ部を有することを特徴とする段ボール箱。
【請求項９】
請求項８に記載された段ボール箱であって、前記第２フラップは、複数の前記折り曲げ部を有することを特徴とする段ボール箱。
【請求項１０】
請求項１乃至請求項９のいずれかに記載された段ボール箱であって、前記被挿入部が形成される第１フラップを除き、各フラップは、下側に他のフラップの一部が挿入される側の端部が斜めに切断されていることを特徴とする段ボール箱。
【請求項１１】
請求項１乃至請求項１０のいずれかに記載された段ボール箱であって、前記第３フラップは、前記第４フラップ側の端部が斜めに切断され、前記第４フラップは、前記第１フラップ側の端部が斜めに切断されていることを特徴とする段ボール箱。
【請求項１２】
請求項１乃至請求項１１のいずれかに記載された段ボール箱であって、前記第１乃至第４のフラップは、前記段ボール箱の側面部から連続して立ち上がり、前記第１乃至第４のフラップの前記側面部からの立ち上がりの始端は、前記側面部の折り目から外れた位置に設定されていることを特徴とする段ボール箱。
【請求項１３】
請求項１乃至請求項１２のいずれかに記載された段ボール箱であって、前記第３フラップは、前記段ボール箱を閉状態としたときに、前記被挿入部を有する第１フラップに対向する端面に補助指挿入部を有し、前記補助指挿入部は、前記第３フラップの端面のうち前記第１フラップに対向する端面と平行に形成された補助指用折り目と、前記補助指用折り目の両端から前記第３フラップの端面のうち前記第１フラップに対向する端面にかけて形成された補助指用切り込みとから形成されていることを特徴とする段ボール箱。
【発明の詳細な説明】
【技術分野】
【０００１】
本発明は、例えば、野菜の出荷等に使用される段ボール箱の改良に関し、特に、繰り返し開閉しても損傷することなく円滑に蓋を組み付けることに関するものである。
【背景技術】
【０００２】
例えば、ジャガイモやレタス等の野菜を出荷する際に、これらの野菜を収納するために使用される段ボール箱は、蓋を繰り返し開閉する必要から、４つのフラップから成る蓋部を、ステープルやテープ等で密閉することなく、相互に重畳させる等して組み付けて閉止状態としていた。
【０００３】
この場合、従来は、とあるフラップの一部を隣接する他のフラップの下に差し込むだけであったため（例えば、特許文献１参照）、フラップ間の連結強度が低く、フラップを押し上げる方向に力が働いた場合には、蓋が安易に開いてしまい、収容物が飛び出してしまう等の問題があった。
【０００４】
この点、フラップの一部に切り欠き状のスリットを設け、このスリットに、組み合わせるべき他のフラップの一部を差し込んで、フラップ間の連結強度を高めることが提案されている（例えば、特許文献２参照）。しかし、フラップの一部を細溝状に切り欠いてスリットを形成すると、スリットの周囲のフラップ部分の強度が低下するため、開閉を繰り返しているうちに、スリットの周辺が損傷し、ひいては、フラップ間の連結強度が低下する問題があった。
【先行技術文献】
【特許文献】
【０００５】
【特許文献１】特開２００７−８４１２８号公報
【特許文献２】特開２００３−２３１５１９号公報
【発明の概要】
【発明が解決しようとする課題】
【０００６】
本発明が解決しようとする課題は、上記の問題点に鑑み、繰り返し開閉しても損傷することなく円滑に蓋を組み付けることができると共に、蓋を組み付けた閉止状態を確実に保持することができる段ボール箱を提供するものである。
【課題を解決するための手段】
【０００７】
本発明は、上記の課題を解決するための第１の手段として、相互に向かい合う第１の１対のフラップとこの第１の１対のフラップと重畳し相互に向かい合う第２の１対のフラップから成る蓋部を有し、第１の１対のフラップは第１フラップ及び第３フラップとから成り、第２の１対のフラップは第２フラップ及び第４フラップとから成る段ボール箱において、第１フラップには、第１フラップに重畳する第２のフラップに形成された挿入部の一部が挿入される被挿入部が設けられ、この被挿入部は、第３フラップに向けて伸びるように形成された第１切り込みとこの第１切り込みの第３フラップとは反対側の端部において第１切り込みと交差するように設けられた第２切り込みとから成る切り込みと、第２切り込みの端部から第３フラップに向けて伸びるように形成された折り目とから成り、第１フラップは、少なくとも一部又は全部が第２フラップの挿入部と重畳する位置に指挿入部を有し、この指挿入部は、第１フラップのうち第２フラップの挿入部と重畳する位置において被挿入部の第１切り込みと平行に形成された指用折り目と、この指用折り目の両端に連続するようにして周回して第１フラップに形成された指用切り込みとから形成されていることを特徴とする段ボール箱を提供するものである。
【０００８】
本発明は、上記の課題を解決するための第２の手段として、上記第１の解決手段において、被挿入部の切り込みは、第２切り込みが第１切り込みを跨ぐようにして配置されたＴ字状に形成され、被挿入部の折り目は、第２切り込みの両端から第３フラップに向けて伸びるように複数形成されていることを特徴とする段ボール箱を提供するものである。
【０００９】
本発明は、上記の課題を解決するための第３の手段として、上記第１又は第２のいずれかの解決手段において、第３フラップに向けて伸びるように形成された第１切り込みは、第３フラップ側の端部側において一部が円弧状に形成されていることを特徴とする段ボール箱を提供するものである。
【００１０】
本発明は、上記の課題を解決するための第４の手段として、上記第１乃至第３のいずれかの解決手段において、第１のフラップに重畳する第２のフラップに形成され第１のフラップの被挿入部に一部が挿入される挿入部は、第２フラップの縁部から突出するように形成され、被挿入部に挿入された場合に第１切り込みと第２切り込みとの交差点から第１フラップの第３フラップとは反対側の端部に向けて円弧状に突出する円弧部を有していることを特徴とする段ボール箱を提供するものである。
【００１１】
本発明は、上記の課題を解決するための第５の手段として、上記第１乃至第４のいずれかの解決手段において、第２フラップは、挿入部の円弧部とは反対側の端部から第２フラップの縁部にわたる部分を第４フラップとは反対側に凹むように切り欠いて形成された指掛け部を有することを特徴とする段ボール箱を提供するものである。
【００１２】
本発明は、上記の課題を解決するための第６の手段として、上記第５の解決手段において、指掛け部は、円弧状に形成されていることを特徴とする段ボール箱を提供するものである。
【００１３】
本発明は、上記の課題を解決するための第７の手段として、上記第１乃至第６のいずれかの解決手段において、前記第２フラップに形成された挿入部は隅部が円弧状に形成されていることを特徴とする段ボール箱を提供するものである。
【００１４】
本発明は、上記の課題を解決するための第８の手段として、上記第１乃至第７のいずれかの解決手段において、挿入部を有する第２フラップは、第１フラップの第１切り込みと平行に形成された折り曲げ部を有することを特徴とする段ボール箱を提供するものである。
【００１５】
本発明は、上記の課題を解決するための第９の手段として、上記第８の解決手段において、第２フラップは、複数の折り曲げ部を有することを特徴とする段ボール箱を提供するものである。
【００１６】
本発明は、上記の課題を解決するための第１０の手段として、上記第１乃至第９のいずれかの解決手段において、被挿入部が形成される第１フラップを除き、各フラップは、下側に他のフラップの一部が挿入される側の端部が斜めに切断されていることを特徴とする段ボール箱を提供するものである。
【００１７】
本発明は、上記の課題を解決するための第１１の手段として、上記第１乃至第１０のいずれかの解決手段において、第３フラップは、第４フラップ側の端部が斜めに切断され、第４フラップは、第１フラップ側の端部が斜めに切断されていることを特徴とする段ボール箱を提供するものである。
【００１８】
本発明は、上記の課題を解決するための第１２の手段として、上記第１乃至第１１のいずれかの解決手段において、第１乃至第４のフラップは、段ボール箱の側面部から連続して立ち上がり、第１乃至第４のフラップの側面部からの立ち上がりの始端は、側面部の折り目から外れた位置に設定されていることを特徴とする段ボール箱を提供するものである。
【００１９】
本発明は、上記の課題を解決するための第１３の手段として、上記第１乃至第１２のいずれかの解決手段において、第３フラップは、段ボール箱を閉状態としたときに、被挿入部を有する第１フラップに対向する端面に補助指挿入部を有し、この補助指挿入部は、第３フラップの端面のうち第１フラップに対向する端面と平行に形成された補助指用折り目と、この補助指用折り目の両端から第３フラップの端面のうち第１フラップに対向する端面にかけて形成された補助指用切り込みとから形成されていることを特徴とする段ボール箱を提供するものである。
【発明の効果】
【００２０】
本発明によれば、上記のように、他のフラップの挿入部の一部が挿入される被挿入部を、Ｔ字状の切り込みと折り目とから形成しているため、他のフラップの挿入部の差し込み、抜き出しに伴い、切り込みを円滑に開閉させることができるため、開閉作業を繰り返し行っても、フラップが損傷することがないと同時に、挿入部を簡易に、かつ、円滑に抜き差しして蓋部を開閉することができる実益がある。
【００２１】
本発明によれば、上記のように、被挿入部の切り込みの一部や、挿入部の隅部を円弧状に形成しているため、開閉作業を繰り返しても、尖った角部の場合と異なり、フラップ同士が接触してもフラップの一部が折れ曲がったり欠ける等して損傷することがないと同時に、挿入部の差し込み時にフラップ同士が引っ掛かることなく円滑に差し込んで閉止状態に組み付けることができる実益がある。
【００２２】
本発明によれば、上記のように、挿入部は、第１切り込みと第２切り込みとの交差点まで延びた第１の傾斜縁部の端部から第１フラップの第３フラップとは反対側の端部に向けて円弧状に突出する円弧部を有しているため、第２フラップの挿入部の一部を第１フラップの被挿入部に差し込んだ後、第２フラップの挿入部のうち第１フラップの下側に挿入されている部分の幅が、第１フラップの被挿入部の第１切り込みの長さよりも長く、円弧部が第１フラップに係止するため、挿入部と被挿入部との係止が安易に解除されることがなく、閉止状態を確実に維持することができる実益がある。
【００２３】
本発明によれば、上記のように、挿入部を有する第２フラップに、挿入部の円弧部とは反対側の端部から第２フラップの縁部にわたる部分を第４フラップとは反対側に凹むように切り欠いて形成された指掛け部を設けているため、挿入部を第１のフラップに形成された被挿入部に抜き差しする際に、この指掛け部に指を掛けて手前に引き抜くことが容易となり、挿入部及び被挿入部を形成しても、開閉作業を円滑に行うことができる実益がある。この場合、特に、上記のように、この指掛け部を円弧状に切り欠いて形成しているため、引っ掛けた指に馴染みやすく、確実に指を引っ掛けることができると共に、作業者の身体に負担を強いることがない実益がある。
【００２４】
本発明によれば、上記のように、挿入部を有する第２フラップに、第１フラップの第１切り込みと平行に形成された折り曲げ部を設け、特に、この折り曲げ部を複数形成しているため、第２フラップをこれらの複数の折り曲げ部で折り曲げることにより、挿入部の位置を微調整することが容易となり、挿入部の被挿入部１８への抜き差しを、より円滑に、かつ、容易に行うことができる実益がある。
【００２５】
本発明によれば、上記のように、フラップの側面部からの立ち上がりの始端を、側面部の折り目から外れた位置に設定しているため、対角線方向に荷重が負荷されても、当該荷重がフラップを伝わって全体に及ぶことが少なく、段ボール箱がゆがみにくく、容易に損傷することがない実益がある。
【００２６】
本発明によれば、上記のように、第１フラップのうち第２フラップの挿入部と重畳する位置において被挿入部の第１切り込みと平行に形成された指用折り目と、この指用折り目の両端に連続するようにして周回して第１フラップに形成された指用切り込みとから形成された指挿入部を、第２フラップの挿入部と重畳する位置に設けているため、指挿入部を、指用折り目を軸線として上下動させることができ、指挿入部に指を挿入して第１フラップを持ち上げるだけでフラップ間の連結を簡易に解除して蓋部を開けることができる一方、次回の閉止時には、閉止のために第２フラップの挿入部を第１フラップの被挿入部に挿入するだけで、前回の開封時に指により下方に押し下げられた指挿入部が挿入された第２フラップの挿入部により自動的に上方に押し上げられて指挿入部の開口を簡易に再び閉じることができる実益がある。
【図面の簡単な説明】
【００２７】
【図１】本発明の段ボール箱の平面図である。
【図２】本発明の段ボール箱の展開図である。
【図３】本発明に使用される挿入部を有する第２フラップの平面図である。
【発明を実施するための形態】
【００２８】
本発明の実施の形態を図面を参照しながら詳細に説明すると、図１及び図２は、本発明の段ボール箱１０を示し、この段ボール箱１０は、主に、ジャガイモやレタス等の野菜を出荷する際に、これらの野菜を収納するために使用するのに適しているが、その用途に特に限定はなく、様々な内容物を収納することができる。
【００２９】
この段ボール箱１０は、図１及び図２に示すように、第１乃至第４の４つのフラップ１２Ａ乃至１２Ｄから成る蓋部１２を有している。これらの４つのフラップ１２Ａ乃至１２Ｄは、図２に示すように、第１乃至第４の４つの側面部１４Ａ乃至１４Ｄの各々から連続して立ち上がるようにして形成されている。この場合、図１に示すように、幅広の第１及び第３のフラップ１２Ａ、１２Ｃが相互に向かい合うようにして、また幅狭の第２及び第４のフラップ１２Ｂ、１２Ｄが相互に向かい合うようにして配置されている。一方、４つの側面部１４Ａ乃至１４Ｄの蓋部１２とは反対側の端部からは、図２に示すように、第１乃至第４の４つの底フラップ１６Ａ乃至１６Ｄから成る底部１６が連続して延びるようにして形成されている。
【００３０】
この段ボール箱１０は、図２に示す展開した状態で打ち抜いて加工され、４つの側面部１４Ａ乃至１４Ｄの境界部に形成された折り目１４ａにて折り曲げて、第１の側面部１４Ａに形成されたのりしろ部１４ｂを第４の側面部１４Ｄに接続することにより、四角形状に形成される。その状態から、底部１６及び蓋部１４を閉止状態とすることにより、封止状態とすることができる。なお、底部１６は、段ボール箱１０内に収納される内容物の荷重を直接受け止める部分であるため、図示しないステープルやテープ、ホットメルト剤等の適宜の固定手段により固定して組み付けられる。
【００３１】
一方、蓋部１２は、底部１６と異なり、開閉自在に組み付けられる。具体的には、蓋部１２は、４つのフラップ１２Ａ乃至１２Ｄの一部を、それぞれ隣接するフラップ１２の下に差し込むことにより相互に重畳させて閉止状態とすることができる一方、各フラップ１２Ａ乃至１２Ｄを他のフラップ１２Ａ乃至１２Ｄの下から抜き出して組み付け状態を解除することにより、開放状態とすることができる。
【００３２】
より具体的には、特に図２に示すように、第１フラップ１２Ａの下に第２フラップ１２Ｂの一部が、第２フラップ１２Ｂの下に第３フラップ１２Ｃの一部が、第３フラップ１２Ｃの下に第４フラップ１２Ｄの一部が、第４フラップ１２Ｄの下に第１フラップの一部が、それぞれ差し込まれることにより組み付けられて、蓋部１４を閉止状態とする。この場合、特に、隣接して相互に重畳する第１フラップ１２Ａ及び第２フラップ１２Ｂは、図１及び図２に示すように、第１フラップ１２Ａに設けられた被挿入部１８と、この第１フラップ１２Ａの右隣に位置する第２フラップ１２Ｂに設けられて被挿入部１８に一部が挿入される挿入部２０とによって、相互に連結される。
【００３３】
（１．被挿入部）
この被挿入部１８は、図１及び図２に示すように、第１フラップ１２Ａの第２フラップ１２Ｂ側に形成された切り込み２２と、この切り込み２２の開閉を容易にする折り目２４とから成っている。
【００３４】
より具体的には、この切り込み２２は、図１及び図２に示すように、第３フラップ１２Ｃに向けて伸びるように（第２側面部１４Ｂと略平行に）形成された第１切り込み２２Ａと、この第１切り込み２２Ａの第３フラップ１２Ｃとは反対側の端部において第１切り込み２２Ａと交差するように（第１側面部１４Ａと略平行に）設けられた第２切り込み２２Ｂとから形成されている。
【００３５】
従って、第１切り込み２２Ａは、第２切り込み２２Ｂにより変位することが許容された第１フラップ１２Ａの一部が変位することにより、開閉することができる。なお、この場合、図示の実施の形態では、第２切り込み２２Ｂは、第１切り込み２２Ａを跨ぐようにして形成され、切り込み２２全体がＴ字状の形状を有する。従って、第１フラップ１２Ａは、第１切り込み２２Ａを境に、その近傍が相互に離反するように変位することができる。
【００３６】
これらの切り込み２２は、図１及び図２に示すように、第１フラップ１２Ａの一部を切り抜いて切り欠き状に形成するのではなく、第１フラップ１２Ａに単に切断線を形成することにより設けられる。即ち、後述する挿入部２０が挿入されていない状態では、切り込み２２は、図２に示すように、単に、この切断線として現れるだけであり、段ボール箱１０の内部は外部からは見えない。従って、複雑な型等を使用することなく簡易に形成することができるとともに、他の部材と接触して損傷しやすい入隅部や出隅部が不必要に存在しないため、特に、被挿入部１８周辺の第１フラップ１２Ａの損傷を抑制することができる。
【００３７】
一方、折り目２４は、図１及び図２に示すように、第１フラップ１２Ａの裏面を、罫線状に押圧して薄肉状に形成することにより設けることができる。また、この折り目２４は、図１及び図２に示すように、第２切り込み２２Ｂの端部から第３フラップ１２Ｃに向けて伸びるように形成されている。即ち、図１及び図２に示すように、第１切り込み２２Ａと略平行に形成される。また、この折り目２４は、図示の実施の形態では、図１及び図２に示すように、第２切り込み２２Ｂの両端から第３フラップ１２Ｃに向けて伸びるように複数形成されている。従って、第１切り込み２２Ａから折り目２４までの間のフラップ部分は、第２切り込み２２Ｂ及び折り目２４により開閉することを許容された第１切り込み２２Ａを境として、変位することができる。
【００３８】
このため、被挿入部１８は、図１に示すように、第１切り込み２２Ａに後述する挿入部２０の先端が差し込まれた場合、その挿入を許容することができる一方、第２フラップ１２Ｂを上下から挟むようにして保持することができる。即ち、被挿入部１８は、第２フラップ１２Ｂの挿入部２０の差し込み、抜き出しに伴い、切り込み２２を円滑に開閉させることができるため、開閉作業を繰り返し行っても、フラップ１２Ａ、１２Ｂが損傷することがないと同時に、挿入部２０を簡易に、かつ、円滑に抜き差しして蓋部１２を開閉することができる。
【００３９】
なお、被挿入部の第１切り込み２２Ａは、図１及び図２に示すように、第３フラップ１２Ｃ側の端部において一部を円弧状に形成することが望ましい。この場合、円弧の突出方向が第２フラップ１２Ｂ側に向くようにして形成する。これにより、図１及び図２に示すように、第１切り込み２２Ａよりも第４フラップ１２Ｄ側に位置するフラップ部分の隅部Ｓ１（図１参照）が円弧状となり、開閉作業を繰り返しても、尖った角部の場合と異なり、フラップ１２Ａ、１２Ｂ同士の接触によりフラップ１２Ａ、１２Ｂの一部が折れ曲がったり欠ける等して損傷することがないと同時に、挿入部２０の差し込み時にフラップ１２Ａ、１２Ｂ同士が引っ掛かることなく円滑に差し込んで閉止状態に組み付けることができる。
【００４０】
なお、被挿入部１８の切り込み２２は、第１フラップ１２Ａの損傷を抑制し、また、挿入部２０の円滑な抜き差しを可能とするためには、できるだけ、図示の実施の形態のように、Ｔ字状に形成することが望ましいが、第２切り込み２２Ｂが第１切り込み２２Ａを跨がないように、Ｌ字状に形成することもできる。
【００４１】
（２．挿入部）
一方、第２フラップ１２Ｂに設けられる挿入部２０は、図１及び図２に示すように、第２フラップ１２Ｂの縁部１２ｂから突出するように形成されている。より具体的には、図示の実施の形態では、第２フラップ１２Ｂの縁部１２ｂは、図１及び図２に示すように、相対向する第４フラップ１２Ｄに向けて相互に交差するように斜めに切断された第１及び第２の２つの傾斜縁部１２ｂ１、１２ｂ２から成り、挿入部２０は、これらの２つの傾斜縁部１２ｂ１、１２ｂ２の先端側（第４フラップ１２Ｄ側）において突出するように形成されている。
【００４２】
また、挿入部２０は、図１及び図２に示すように、第１フラップ１２Ａに形成された被挿入部１８に挿入された場合に、第１切り込み２２Ａと第２切り込み２２Ｂとの交差点２２ａから第１フラップ１２Ａの第３フラップ１２Ｃとは反対側の端部に向けて円弧状に突出する円弧部２６を有している。図示の実施の形態では、２つの傾斜縁部１２ｂのうち第１フラップ１２Ａ側の第１の傾斜縁部１２ｂ１は、図１及び図２に示すように、被挿入部１８の第１切り込み２２Ａと第２切り込み２２Ｂとの交差点２２ａまで延び、円弧部２６は、この第１切り込み２２Ａと第２切り込み２２Ｂとの交差点２２ａまで延びた第１の傾斜縁部１２ｂ１の端部から第１フラップ１２Ａの第３フラップ１２Ｃとは反対側の端部に向けて円弧状に突出して形成される。
【００４３】
このため、第２フラップ１２Ｂの挿入部２０の一部を、第１フラップ１２Ａの被挿入部１８に差し込んだ後、第２フラップ１２Ｂの挿入部２０のうち第１フラップ１２Ａの下側に挿入されている部分の幅Ｔ（図１参照）が、第１フラップ１２Ａの被挿入部１８の第１切り込み２２Ａの長さよりも長くなり、円弧部２６が第１フラップ１２Ａに係止するため、挿入部２０と被挿入部１８との係止が安易に解除されることがなく、閉止状態を確実に維持することができる。即ち、第１切り込み２２Ａと第２切り込み２２Ｂとの交差点２２ａまで延びた第１の傾斜縁部１２ｂ１と円弧部２６とが、図１に示すように、交差点２２ａに跨って配置されるため、第２フラップ１２Ｂが第１フラップ１２Ａに対して位置決めされると共に、第１の傾斜縁部１２ｂ１と円弧部２６との境目が交差点２２ａに跨って、挿入部２０の抜け止めの役割を果たす。
【００４４】
なお、この挿入部２０を有する第２フラップ１２Ｂには、図３に示すように、挿入部２０の円弧部２６とは反対側の端部２０ａから第２フラップ１２Ｂの縁部１２ｂ（２つの傾斜縁部１２ｂのうち第３フラップ１２Ｃ側の第２の傾斜縁部１２ｂ２）にわたる部分を第４フラップ１２Ｄとは反対側に凹むように切り欠いて形成された指掛け部３２を設けることもできる。この指掛け部３２には、挿入部２０を第１のフラップ１２Ａに形成された被挿入部１８に抜き差しする際に、指を掛けることができるため、この指掛け部３２に指を掛けて手前に引き抜くことが容易となり、相互に連結される挿入部２０及び被挿入部１８を形成しても、その連結を容易に解除して、開閉作業を円滑に行うことができる。
【００４５】
この場合、図３に示すように、特に、この指掛け部３２を円弧状に形成することが望ましい。これにより、指掛け部３２が指の腹に沿った形状となるため、引っ掛けた指に馴染みやすく、確実に指を引っ掛けることができると共に、作業者の身体に負担を強いることがない。
【００４６】
また、この挿入部２０の隅部Ｓ２（図１参照）も、図１に示すように、円弧状に形成すると、第２フラップ１２Ｂの損傷を防止することができると共に、挿入部２０を円滑に被挿入部１８に差し込むことができるため、望ましい。
【００４７】
（３．第２フラップの折り曲げ部）
また、この挿入部２０を有する第２フラップ１２Ｂは、図１及び図２に示すように、第１フラップ１２Ａの被挿入部１８を構成する第１切り込み２２Ａと平行に形成された折り曲げ部２８を有している。
【００４８】
この折り曲げ部２８は、第２フラップ１２Ｂの裏面を、罫線状に押圧して薄肉状に形成することにより設ける。従って、第２フラップ１２Ｂは、この折り曲げ部２８により、挿入部２０が下を向くようにして内側へ折り曲げることができ、折り曲げ部２８を頂上として上方へ突出するように第２フラップ１２Ｂを立ち上げることにより、挿入部２０を被挿入部１８に挿入しやすくなる。
【００４９】
この場合、特に、図３に示すように、第２フラップ１２Ｂに、複数の折り曲げ部２８を形成すると、挿入部２０の位置を微調整することが容易となり、挿入部２０の被挿入部１８への抜き差しを、より円滑に、かつ、容易に行うことができる。
【００５０】
（４．指挿入部）
また、第１フラップ１２Ａは、図１及び図２に示すように、少なくとも一部又は全部が第２フラップ１２Ｂの挿入部２０と重畳する位置に指挿入部３０を有している。この指挿入部３０は、本発明では、図１及び図２に示すように、第１フラップ１２Ａのうち第２フラップ１２Ｂの挿入部２０と重畳する位置において被挿入部１８の第１切り込み２２Ａと平行に形成された指用折り目３０Ａと、この指用折り目３０Ａの両端に連続するようにして周回して第１フラップ１２Ａに形成された指用切り込み３０Ｂとから片状に形成されている。
【００５１】
このため、指挿入部３０は、指用折り目３０Ａを軸線として上下動させることができ、指挿入部３０に指を挿入して第１フラップ１２Ａを持ち上げるだけでフラップ１２Ａ乃至１２Ｄ間の連結を簡易に解除して蓋部１２を開けることができる。
【００５２】
一方、この指挿入部３０は、穿孔された開口状態ではないため、次回の閉止時には、閉止のために、第２フラップ１２Ｂの挿入部２０を、第１フラップ１２Ａの被挿入部１８に挿入するだけで、前回の開封時に指により下方に押し下げられた指挿入部３０が、挿入された第２フラップ１２Ｂの挿入部２０により自動的に上方に押し上げられて指挿入部３０の開口を簡易に再び閉じることができる。従って、この指挿入部３０から、段ボール箱１０の内部に湿気や異物等が侵入するのを抑制することができ、野菜等の生ものであっても、保護することができる。なお、段ボール箱１０の用途、即ち、内部に収納すべき内容物の種類によっては、湿気や虫等の異物の侵入を回避することが望ましく、その場合には、内部との連通箇所はできるだけ少ない方が好ましい。このため、図示の実施の形態では、側面部１４には指掛け部を設けていないが、設ける場合であっても、指挿入部３０と同様に、開閉自在な構成とすることが望ましい。
【００５３】
（５．フラップの端部）
また、本発明では、被挿入部１８が形成される第１フラップを除き、各フラップ１２Ｂ乃至１２Ｄは、図１及び図２に示すように、下側に他のフラップ１２Ａ乃至１２Ｃの一部が挿入される側の端部が斜めに切断されている。より具体的には、図１及び図２に示すように、第２フラップ１２Ｂは、第３フラップ１２Ｃ側の端部１２ｂ２が斜めに切断され、第３フラップ１２Ｃは、第４フラップ１２Ｄ側の端部１２ｃが斜めに切断され、同様に、第４フラップ１２Ｄは、第１フラップ１２Ａ側の端部１２ｄが斜めに切断されている。従って、指挿入部３０を引っ張って持ち上げることにより、フラップ１２Ａ乃至１２Ｄ間の連結を円滑かつ簡易に解除することができる。
【００５４】
（６．フラップの立ち上がり部）
更に、本発明では、第１乃至第４のフラップ１２Ａ乃至１２Ｄは、図２に特に示すように、側面部１４からの立ち上がりの始端が、側面部１４の折り目１４ａから外れた位置に設定されている。このため、側面部１４を組み付けて四角形状とした場合に、対角線方向に荷重が負荷されても、当該荷重がフラップ１２Ａ乃至１２Ｄを伝わって段ボール箱１０全体に及ぶことが少なく、段ボール箱１０が歪みにくく、安易に損傷することがない。
【００５５】
（７．補助指挿入部）
なお、被挿入部１８を有する第１フラップ１２Ａと相互に向かい合う第３フラップ１２Ｃには、図３に示すように、段ボール箱１０を閉状態としたときに、第１フラップ１２Ａに対向する端面に補助指挿入部３４を設けることもできる。第３フラップは、段ボール箱１０を閉状態としたときに、図１に示すように、挿入部２０を有する第２フラップ１２Ｂ伸した側に配置されるため、この第３フラップ１２Ｃに補助指挿入部３４を形成し、この補助指挿入部３４に指を挿入して第３フラップ１２Ｃを持ち上げることにより、同時に挿入部２０を有する第２フラップ１２Ｂも上方へ押し上げられ、挿入部２０の被挿入部１８からの抜き取りを補助することができ、特に、上述した指掛け部３２と併用することにより、被挿入部１８と挿入部２０との連結の解除をより一層円滑に行うことができる。また、この補助指挿入部３４は、連結の解除後において、第３フラップ１２Ｃを更に立ち上げて段ボール箱１０を大きく開口させるために使用することもできる。
【００５６】
この補助指挿入部３４は、図３に示すように、第３フラップ１２Ｃの端面のうち第１フラップ１２Ａに対向する端面と平行に形成された補助指用折り目３４Ａと、この補助指用折り目３４Ａの両端から第３フラップ１２Ｃの端面のうち第１フラップ１２Ａに対向する端面にかけて形成された補助指用切り込み３４Ｂとから形成することができる。従って、この補助指挿入部３４も、指挿入部３０と同様、穿孔された開口状態ではないため、補助指挿入部３４から、段ボール箱１０の内部に湿気や異物等が侵入するのを抑制することができ、野菜等の生ものであっても、保護することができる。
【００５７】
但し、段ボール箱１０の内部に収納すべき内容物の種類によっては、むしろ、通気性を確保することが必要な場合もあり、その場合には、この補助指挿入部３４を形成することなく、第１及び第３のフラップ１２Ａ、１２Ｃにわたって、被挿入部１８を避けた位置に図示しない開口を形成することもできる。また、本発明の段ボール箱１０においては、必要に応じて、第１フラップ１２Ａに形成される指挿入部３０のみを有する形態、第３フラップ１２Ｃに形成される補助指挿入部３４のみを有する形態、指挿入部３０及び補助指挿入部３４の双方を有する形態の何れの形態とすることもできる。
【００５８】
（８．使用方法）
次に、本発明の段ボール箱１０の使用用法について説明すると、側面部１４及び底面部１６を組み付けて、蓋部１２となる各フラップ１２Ａ乃至１２Ｄが側面部１４から立ち上がった状態で、収納すべき内容物を内部に収納する。次に、挿入部２０を有する第２フラップ１２Ｂを除き、下側に位置すべきフラップから順に、即ち、第１フラップ１２Ａ、第４フラップ１２Ｄ、第３フラップ１２Ｃの順に側面部１４から折り曲げて、最後に、第２フラップ１２Ｂを側面部１４から折り曲げた上で、更に、折り曲げ部２８を折り曲げて、挿入部２０を斜め上の方向から被挿入部１８に滑り込ませるようにして差し込んで、蓋部１２を図１に示す閉止状態とする。
【００５９】
一方、蓋部１２を開けるときは、指挿入部３０を引っ張って持ち上げることにより、あるいは、指掛け部３２や補助指挿入部３４に指を挿入して引き上げることにより、フラップ１２Ａ乃至１２Ｄ間の連結を解除する。この場合、再使用するときは、この手順を繰り返すが、蓋部１２を繰り返し開閉してもフラップ１２Ａ乃至１２Ｄの損傷は抑制されるとともに、指挿入部３０は閉止の度に被挿入部１８に挿入された挿入部２０により自動的に開口が閉じられる。
【００６０】
(９．その他）
なお、第１乃至第４フラップ１２Ａ乃至１２Ｄの関係は、相対的なものであり、図示の実施の形態では第１フラップ１２Ａに被挿入部１８を、第２フラップ１２Ｂに挿入部２０を形成したが、相互に隣接するいずれのフラップ間に挿入部２０と被挿入部１８を形成してもよい。即ち、相互の位置関係が変わらなければ、いずれのフラップを第１フラップ１２Ａとして把握しても差し支えない。また、図示の実施の形態では、１組の挿入部２０及び被挿入部１８を設定したが、必要があれば、複数の挿入部２０と被挿入部１８を設定することを除外するものではない。
【産業上の利用可能性】
【００６１】
本発明は、例えば、ジャガイモやレタス、とうもろこし、大根等の野菜を出荷する際に、これらの野菜を収納するために使用される段ボール箱に適用することができ、その他、蓋を繰り返し開閉する必要から、４つのフラップから成る蓋部を、ステープルやテープ等で密閉することなく、相互に重畳させる等して組み付けて閉止状態とする段ボール箱に広く適用することができる。
【符号の説明】
【００６２】
１０  段ボール箱
１２  蓋部
１２Ａ  第１フラップ
１２Ｂ  第２フラップ
１２Ｃ  第３フラップ
１２Ｄ  第４フラップ
１４  側面部
１４ａ  側面部の折り目
１４ｂ  のりしろ部
１６  底部
１８  被挿入部
２０  挿入部
２０ａ  挿入部の端部
２２  切り込み
２２Ａ  第１の切り込み
２２Ｂ  第２の切り込み
２２ａ  第１の切り込みと第２の切り込みの交差点
２４  折り目
２６  円弧部
２８  折り曲げ部
３０  指挿入部
３０Ａ  指用折り目
３０Ｂ  指用切り込み
３２  指掛け部
３４  補助指挿入部
３４Ａ  補助指用折り目
３４Ｂ  補助指用切り込み
【図１】
0005539779.tif 000002
【図２】
0005539779.tif 000003
【図３】
0005539779.tif 000004